(57)【要約】      （修正有）【課題】水を屋根瓦裏に送ることなくお湯にする装置を提供する。【解決手段】パイプにフィンを巻き付けた巻き付けフィンチューブを屋根瓦の裏で屋根の上部に水平に設置し、パイプ内に熱媒１７を循環させて太陽光から受熱した屋根瓦裏の熱を、地上のタンク内に充満させた水１９をその熱媒との熱交換によりお湯とする。【選択図】図１２
2011247068.tif 000002
【特許請求の範囲】
【請求項１】
巻き付けフィン付きチューブを利用し、チューブを屋根瓦裏の上段に水平に配置することを特徴とする装置
【請求項２】
巻き付けフィン付きチューブをヒートパイプにしたものを利用し、チューブを屋根瓦裏の上段に水平に配置することを特徴とする装置
【請求項３】
瓦の裏面に銅板を介して、へん平にした曲線状のパイプを取り付けることを特徴とする装置
【請求項４】
瓦の裏面に銅製の平板状のヒートパイプを取り付け、ヒートパイプ内に曲線状のパイプを設置することを特徴とする装置
【発明の詳細な説明】
【発明の詳細な説明】
【０００１】巻き付けフィンチューブは、パイプに薄金属帯（フィン）を垂直に立つように巻き付けてパイプ外側の伝熱面積を増大したもので、パイプ外側に空気のような気体を、パイプ内側に、水のような液体を流す熱交換器に従来より使用されている。
今回の発明は、巻き付けフィンチューブを屋根瓦裏の上段に水平に配置することを特徴とする。
2011247068.tif 000003
【発明の詳細な説明】
【０００２】巻き付けフィンチューブは、パイプに薄金属帯（フィン）を垂直に立つように巻き付けてパイプ外側の伝熱面積を増大したものである。これをヒートパイプ化する。
具体的には、パイプの両端に板をろう付けし、パイプの中を真空にし、作動液を封入することである。これによりヒートパイプ内の熱輸送が速くなり、パイプの温度分布が良くなりパイプの温度が均熱化する。このパイプ内に細いパイプをＵの字状に設置する。
今回の発明は、巻き付けフィンチューブをヒートパイプ化したものを、屋根瓦裏の上段に水平に配置することを特徴とする。
2011247068.tif 000004
【発明の詳細な説明】
【０００３】太陽光を受けた瓦の裏面は高温になっている。この熱エネルギーを直接主として熱伝導にて回収する装置に関するものである。
瓦の裏面に、厚みの薄い銅板を貼り（たとえば熱伝導性の良い接着剤）この上に銅管をへん平にしたものを、ろう付けで接合する。銅管をへん平にするのは、線接触でなく、面接触にして接触面積を大きくするためである。
また、瓦との伝熱面積を大きくするために、できるだけパイプを曲線状にして長くすることである。
2011247068.tif 000005
【発明の詳細な説明】
【０００４】太陽光を受けた瓦の裏面は高温になっている。この熱エネルギーを直接主として熱伝導にて回収する装置に関するものである。
瓦の裏面に、平板状のヒートパイプを貼り付けて設置する。
瓦から伝導で伝わった熱は、平板状のヒートパイプの下部の作動液が溜っている部分で作動液が気泡を発生する沸騰状態となる。気泡は浮力で作動液中を上昇し、液面で蒸気となる。  ヒートパイプの状部には、冷却する凝縮パイプが内蔵されている凝縮部との密度差の基づく圧力差によって、蒸気は蒸発部から凝縮部に向かって流れる。蒸気は凝縮部内で冷却され凝縮液化する。その際、凝縮潜熱として熱を凝縮部の外へ放出する。凝縮部内で液化した作動液は重力で下の蒸発部に還流する。
凝縮部に設置されたパイプ内の液体は熱を受け取り暖められる。
2011247068.tif 000006
【発明の詳細な説明】
【０００５】各発明に共通する項目
屋根瓦及び瓦と屋根本体の空間の空気から熱を回収する装置付いているパイプに不凍液を循環させ熱交換により、不凍液の温度を上昇させる。
暖められた不凍液を水をいれたタンク内で銅管をらせん状にした熱交換器を介して水をお湯にする。
2011247068.tif 000007
2011247068.tif 000008
2011247068.tif 000009
2011247068.tif 000010
【手続補正書】
【提出日】平成22年9月29日(2010.9.29)
【手続補正２】
【補正対象書類名】明細書
【補正対象項目名】全文
【補正方法】変更
【補正の内容】
【発明の詳細な説明】
【発明の詳細な説明】
【０００１】巻き付けフィンチューブ１は、パイプ２に薄金属帯（フィン）３を垂直に立つように巻き付けてパイプ２の外側の伝熱面積を増大したもので、パイプ２の外側に空気のような気体を、パイプ２の内側に、水のような液体を流す熱交換器に従来より使用されている。
今回の発明は、巻き付けフィンチューブ１を屋根瓦４の裏の上段に水平に配置することを特徴とする。
【０００２】巻き付けフィンチューブ１は、パイプ２に薄金属帯（フィン）３を垂直に立つように巻き付けてパイプ２の外側の伝熱面積を増大したものである。これをヒートパイプ化する。
具体的には、パイプ２の両端に板７をろう付けなどで接着し、パイプ２の中を減圧し、作動液１０を封入することである。これによりパイプ２内の熱輸送が速くなり、パイプ２の温度分布が良くなりパイプ２の温度が均熱化する。
このパイプ２内に細いパイプ８をＵの字状に設置する。
今回の発明は、巻き付けフィンチューブ１をヒートパイプ化したものを、屋根瓦４の裏の上段に水平に配置することを特徴とする。
【０００３】太陽光を受けた瓦４の裏面は高温になっている。
この熱エネルギーを直接  熱伝導にて回収する装置に関するものである。
瓦４の裏面に、厚みの薄い金属板（例えば銅など）８をたとえば熱伝導性の良い接着剤で貼りつける。  この板８にパイプ２を、ろう付けまたは接着剤などで接合する。
パイプ２は、板８と面接触にして伝熱の接触面積を大きくするために扁平であってもよい。
また、板８との伝熱の接触面積を大きくするために、パイプ２を曲線状配置にして長くしたことを特徴とする。
【０００４】太陽光を受けた瓦４の裏面は高温になっている。
この熱エネルギーを直接  熱伝導にて回収する装置に関するものである。
瓦４の裏面に、平板状のヒートパイプ１３を貼り付けて設置する。
瓦４から伝導で伝わる熱は、平板状のヒートパイプ１２の下部の作動液９が溜っている部分で作動液９が気泡を発生する沸騰状態となる。
気泡は浮力で作動液中を上昇し、液面で蒸気となる。
平板状ヒートパイプ１２の上部には、熱媒１７を流すパイプ８が内蔵されている凝縮部との密度差に基づく圧力差によって、蒸気は下部（蒸発部）から上部（凝縮部）に向かって流れる。蒸気は上部（凝縮部）で凝縮液化する。
その際、凝縮潜熱として熱を凝縮部のパイプ８内へと放出する。
上部（凝縮部）のパイプ８上で液化した作動液は重力で下部（蒸発部）に戻される。
上部（凝縮部）に設置されたパイプ８内の熱媒がこの潜熱を受け温度上昇することを特徴とする。
【０００５】各発明に共通する項目
屋根瓦４及び瓦４と屋根本体５の空間の空気から熱を回収する装置。
通常のパイプ２とヒートパイプ１２内のパイプ８には熱媒１７を熱交換により、熱媒１７の温度を上昇させる。
温度上昇した熱媒１７をポンプ１６によりリザーバ１８を介して循環させ水１８を入れたタンク１５内でタンク１４内のパイプ１３を螺旋状などにした熱交換器を介して水１８の温度を上昇させること。
熱媒１７は例えばエチレングリコールなどの液体
水１８は油など他の液体であってもよい。
（０００５−１）          図１１
（０００５−２）          図１２
（０００５−３）          図１３
（０００５−４）          図１４
【図面の簡単な説明】
【図１】巻き付けフィンチューブを屋根瓦裏の上部に配置した全体図である。
【図２】屋根瓦と巻き付けフィンチューブの位置関係図である。
【図３】巻き付けフィンチューブの構造説明図（外観図）である。
【図４】巻き付けフィンチューブの構造説明図（断面図）である。
【図５】巻き付けフィンチューブをヒートパイプ化した設置図である。
【図６】巻き付けフィンチューブをヒートパイプ化した断面図である。
【図７】パイプを平板に接着し瓦の裏に平板を配置した断面図である。
【図８】平板ヒートパイプにパイプを挿入した図（一例）である。
【図９】平板ヒートパイプにパイプを挿入した図（一例）である。
【図１０】ヒートパイプ内の熱移動の説明図である。
【図１１】熱媒のパイプをＵ字管とした熱媒循環方式の温水製造装置概念図の一例である。
【図１２】熱媒パイプをＵ字管としヒートパイプ式熱媒循環方式の温水製造装置の一例である。
【図１３】熱媒のパイプを内臓した平板ヒートパイプによる熱媒循環方式の温水製造装置の一例である。（熱媒のパイプを平板ヒートパイプ内でＳ字状に配置したもの）
【図１４】熱媒のパイプを内臓した平板ヒートパイプによる熱媒循環方式の温水製造装置の一例である。（熱媒のパイプを平板ヒートパイプ内上部で波型状に配置したもの）
【符号の説明】１      巻き付けフィンチューブ
２      パイプ
３      フィン
４      屋根瓦
５      屋根本体
６      ヒートパイプ
７      板
８      薄板
９      接着部
１０    作動液
１１    ヒートパイプ内の熱媒パイプ
１２    ヒートパイプ
１３    熱交換用パイプ
１４    温水タンク
１５    温水
１６    ポンプ
１７    熱媒
１８    リザーバ
１９    水
２０    湯
【手続補正３】
【補正対象書類名】図面
【補正対象項目名】全図
【補正方法】変更
【補正の内容】
【図１】
2011247068.tif 000011
【図２】
2011247068.tif 000012
【図３】
2011247068.tif 000013
【図４】
2011247068.tif 000014
【図５】
2011247068.tif 000015
【図６】
2011247068.tif 000016
【図７】
2011247068.tif 000017
【図８】
2011247068.tif 000018
【図９】
2011247068.tif 000019
【図１０】
2011247068.tif 000020
【図１１】
2011247068.tif 000021
【図１２】
2011247068.tif 000022
【図１３】
2011247068.tif 000023
【図１４】
2011247068.tif 000024